(57)【要約】【課題】１台のプロセッサ装置に対して複数台の光源装置を対応させる。【解決手段】内視鏡システム１０は、使用する光源装置１３、１４の切替えを行う切替器１６を備えている。内視鏡システム１０に電源が入ると、切替器１６のシステム制御部５９は、プロセッサ装置１２のシステム制御部４４が、光源装置１３のシステム制御部４９、及び光源装置１４のシステム制御部５０のどちらと通信を行うかを決定する。内視鏡１１の識別情報が光源装置１３を介して取得された場合には、切替器１６のシステム制御部５９は、プロセッサ装置１２のシステム制御部４４が光源装置１３のシステム制御部４９と通信を行うと決定する。一方、内視鏡１１の識別情報が光源装置１４を介して取得された場合には、切替器１６のシステム制御部５９は、プロセッサ装置１２のシステム制御部４４が光源装置１４のシステム制御部５０と通信を行うと決定する。【選択図】図２
2010011894.tif 000002
【特許請求の範囲】
【請求項１】
撮像素子を内蔵した内視鏡が着脱自在に接続され、前記撮像素子から出力される撮像信号に基づいて内視鏡画像を生成する１台のプロセッサ装置と、
前記内視鏡が着脱自在に接続され、被検体内を照明する光を前記内視鏡に供給する複数台の光源装置と、
複数台の前記光源装置の中から、いずれかの前記光源装置に切り替える切替器とを備えたことを特徴とする内視鏡システム。
【請求項２】
前記切替器は、前記プロセッサ装置及び全ての前記光源装置に接続し、前記プロセッサ装置及び前記光源装置を介して内視鏡固有の識別情報を取得して、前記プロセッサ装置を介して取得した前記識別情報と一致する前記識別情報の取得元である光源装置を判別し、判別した前記光源装置に切り替えることを特徴とする請求項１に記載の内視鏡システム。
【請求項３】
前記識別情報は、内視鏡のシリアルナンバーであることを特徴とする請求項２に記載の内視鏡システム。
【請求項４】
前記切替器は、前記プロセッサ装置及び前記光源装置に接続し、前記内視鏡に光を供給する前記光源装置を、マンマシンインターフェースからの切替信号に基づいて切り替えることを特徴とする請求項１に記載の内視鏡システム。
【請求項５】
撮像素子を内蔵した内視鏡が着脱自在に接続され、前記撮像素子から出力される撮像信号に基づいて内視鏡画像を生成する１台のプロセッサ装置、及び前記内視鏡が着脱自在に接続され、被検体内を照明する光を前記内視鏡に供給する複数台の光源装置に接続し、複数台の前記光源装置の中から、いずれかの前記光源装置に切り替えることを特徴とする切替器。
【発明の詳細な説明】
【技術分野】
【０００１】
本発明は、プロセッサ装置と光源装置とを備えた内視鏡システム、及びそれに用いる切替器に関する。
【背景技術】
【０００２】
医療の分野では内視鏡システムを用いた検査が広く用いられている。内視鏡システムは、体腔（被検体）内を撮影する内視鏡と、この内視鏡が着脱自在に接続され、内視鏡に内蔵された固体撮像素子から出力される撮像信号に基づいて内視鏡画像を生成するプロセッサ装置と、内視鏡画像を表示するモニタと、体腔内を照明する光を内視鏡に供給する光源装置とから構成されている。医師は、モニタに映し出される内視鏡画像を見ながら検査を行う。
【０００３】
このような内視鏡システムを用いた検査の分野では、病変の発見を容易にしたＮＢＩ（Narrow Band Imaging）などといった新たな手法が脚光を浴びている。従来の手法では、内視鏡画像を取得するために白色光を照射するが、新たな手法では、粘膜下層部の血管や、胃壁、腸の表層組織などを強調した内視鏡画像を取得するために、特定の波長帯域の光を照射する。このため、新たな手法の検査を導入する場合、専用の光源装置を用意する必要がある。
【０００４】
専用の光源装置としては、白色光と特定の波長帯域の光とを切り替えて照射する切替式（例えば、特許文献１、２参照）と、特定の波長帯域の光だけを照射する単一式とがある。切替式の光源装置の方が、１台で特殊な検査と従来の手法の検査に対応しているので使い勝手はよいものの、高価である。また、白色光の光源装置を単体で所有していることが多く、切替式を買うと白色光の光源装置が無駄になる。このため、比較的安価である単一式で事を足らせている。
【特許文献１】特開２０００−０４１９４２号公報
【特許文献２】特開２００１−１９０４９０号公報
【発明の開示】
【発明が解決しようとする課題】
【０００５】
しかしながら、従前の内視鏡システムでは、プロセッサ装置を光源装置と一対一に対応させて使用するから、プロセッサ装置からのケーブルを検査に用いる光源装置に組み替える必要があり、手間が掛かる。
【０００６】
本発明は、上記課題を鑑みてなされたものであり、１台のプロセッサ装置に対して複数台の光源装置を対応させた内視鏡システムを提供すること、及びその内視鏡システムに用いる切替器を提供することを目的とする。
【課題を解決するための手段】
【０００７】
上記目的を達成するために、本発明の内視鏡システムは、撮像素子を内蔵した内視鏡が着脱自在に接続され、前記撮像素子から出力される撮像信号に基づいて内視鏡画像を生成する１台のプロセッサ装置と、前記内視鏡が着脱自在に接続され、被検体内を照明する光を前記内視鏡に供給する複数台の光源装置と、複数台の前記光源装置の中から、いずれかの前記光源装置に切り替える切替器とを備えている。
【０００８】
請求項２に記載の発明では、前記切替器は、前記プロセッサ装置及び全ての前記光源装置に接続し、前記プロセッサ装置及び前記光源装置を介して内視鏡固有の識別情報を取得して、前記プロセッサ装置を介して取得した前記識別情報と一致する前記識別情報の取得元である光源装置を判別し、判別した前記光源装置に切り替える。
【０００９】
請求項３に記載の発明では、前記識別情報は、内視鏡のシリアルナンバーである。
【００１０】
請求項４に記載の発明では、前記切替器は、前記プロセッサ装置及び前記光源装置に接続し、前記内視鏡に光を供給する前記光源装置を、マンマシンインターフェースからの切替信号に基づいて切り替える。
【００１１】
本発明の切替器は、撮像素子を内蔵した内視鏡が着脱自在に接続され、前記撮像素子から出力される撮像信号に基づいて内視鏡画像を生成する１台のプロセッサ装置、及び前記内視鏡が着脱自在に接続され、被検体内を照明する光を前記内視鏡に供給する複数台の光源装置に接続し、複数台の前記光源装置の中から、いずれかの前記光源装置に切り替える。
【発明の効果】
【００１２】
本発明の内視鏡システム及び切替器によれば、複数台の光源装置の中から、いずれかの光源装置に切り替えるから、１台のプロセッサ装置に対して複数台の光源装置を対応させることができる。
【発明を実施するための最良の形態】
【００１３】
［第１実施形態］
図１に示すように、第１実施形態の内視鏡システム１０は、体腔内を撮影する内視鏡１１と、内視鏡画像を生成するプロセッサ装置１２と、体腔内を照明する光を内視鏡１１に供給する光源装置１３、１４と、内視鏡画像を表示するモニタ１５と、使用する光源装置１３、１４の切替えを行う切替器１６とから構成されている。内視鏡システム１０は、カート（図示省略）に各装置一式が搭載されて使用される。
【００１４】
内視鏡１１は、体腔内に挿入される可撓性を有した挿入部１７と、挿入部１７の基端部分に連設された操作部１８と、プロセッサ装置１２、及び光源装置１３又は１４に接続されるユニバーサルコード１９とを備えている。
【００１５】
挿入部１７の先端には、撮像素子としてＣＣＤ（charge coupled device）２０（図２参照）を内蔵した先端部２１が設けられている。先端部２１の後方には、複数の湾曲駒（図示省略）を連結した湾曲部２２が設けられている。湾曲部２２は、操作部１８に設けられたアングルノブ２３が操作されて、挿入部１７内に挿設されたワイヤ（図示省略）が押し引きされることにより、上下左右方向に湾曲動作する。これにより、先端部２１が体腔内の所望の方向に向けられる。
【００１６】
ユニバーサルコード１９の基端は、コネクタ２４に連結されている。コネクタ２４は、複合タイプのものであり、コネクタ２４にはプロセッサ装置１２が接続される他、光源装置１３又は１４が接続される。以下では、コネクタ２４が光源装置１３に接続されている場合を説明する。
【００１７】
プロセッサ装置１２は、ＣＣＤ２０から出力された撮像信号を受信し、受信した撮像信号に各種信号処理を施して画像データに変換する。プロセッサ装置１２で変換された画像データは、プロセッサ装置１２にケーブル２５で接続されたモニタ１５に内視鏡画像として表示される。プロセッサ装置１２は、ケーブル２６を介して切替器１６と電気的に接続され、内視鏡システム１０の動作を統括的に制御する。なお、ケーブル２５、２６には、ＬＡＮ、ANSI/TIA/EIA-232-F-1997（俗にいうＲＳ−２３２）などを用いればよい。
【００１８】
切替器１６は、ケーブル３４、３５を介して光源装置１３、１４と電気的に接続されている。なお、ケーブル３４、３５には、ＬＡＮ、ANSI/TIA/EIA-232-F-1997（俗にいうＲＳ−２３２）などを用いればよい。
【００１９】
図２において、先端部２１の端面２８には、照明窓２９、観察窓３０、鉗子出口（図示省略）、及び送気送水ノズル（図示省略）が設けられている。照明窓２９からは、光源装置１３又は１４からライトガイド３１を介して導かれた照明光が観察部位に照射される。観察窓３０には、観察部位の像光が入射される。鉗子出口は、挿入部１７内に配設された鉗子チャンネル（図示省略）に接続され、操作部１８に設けられた鉗子口３２（図１参照）に連通している。鉗子口３２には、注射針や高周波メスなどが先端に配された各種処置具が挿通され、各種処置具の先端が鉗子出口から露出される。送気送水ノズルは、操作部１８に設けられた送気送水ボタン３３（図１参照）の操作に応じて、光源装置１３又は１４に内蔵された送気送水機構（図示省略）から供給される洗浄水や空気を、観察窓３０に向けて噴射する。
【００２０】
内視鏡１１に内蔵されたＣＣＤ２０は、観察窓３０に対向して設けられた対物レンズ４１の結像位置に配設されている。内視鏡１１には、ＣＣＤ２０の他に、相関二重サンプリング／プログラマブルゲインアンプ（以下、「ＣＤＳ／ＰＧＡ」という。）４２、ＲＯＭ４３などが設けられている。ＣＣＤ２０は、観察窓３０及び対物レンズ４１を介して入射した観察部位の像光を撮像し、像光に応じた撮像信号を出力する。ＣＤＳ／ＰＧＡ４２は、ＣＣＤ２０から出力される撮像信号に対してノイズ除去と増幅とを行う。ＲＯＭ４３には、内視鏡１１固有の識別情報（例えば、内視鏡１１のシリアルナンバー）が記憶されている。詳しくは後述するが、ＲＯＭ４３に記憶されている識別情報は、光源装置１３、１４の選択に用いられる。
【００２１】
プロセッサ装置１２には、システム制御部４４、タイミングジェネレータ（以下、「ＴＧ」という。）４５、ＣＣＤドライバ４６、Ａ／Ｄ変換器（以下、「Ａ／Ｄ」という。）４７、画像生成部４８が設けられている。システム制御部４４は、光源装置１３のシステム制御部４９、又は光源装置１４のシステム制御部５０と通信を行うとともに、プロセッサ装置１２の各部を統括的に制御する。
【００２２】
ＴＧ４５は、システム制御部４４の制御の下、タイミング信号（クロックパルス）をＣＣＤドライバ４６に入力する。ＣＣＤドライバ４６は、入力されたタイミング信号に基づいて、駆動信号をＣＣＤ２０に入力し、ＣＣＤ２０の蓄積電荷の読出しタイミングやＣＣＤ２０の電子シャッタ速度などを制御する。
【００２３】
Ａ／Ｄ４７は、ＣＤＳ／ＰＧＡ４２から出力されるアナログの撮像信号をデジタルの画像データに変換する。画像生成部４８は、Ａ／Ｄ４７でデジタル化された画像データに対して各種の画像処理を施し、内視鏡画像を生成する。また、画像生成部４８は、生成した内視鏡画像をモニタ１５の形式に対応したビデオ信号（コンポーネント信号、コンポジット信号など）に変換し、そのビデオ信号をモニタ１５に出力する。これにより、内視鏡画像がモニタ１５に表示される。
【００２４】
光源装置１３には、システム制御部４９、光源５１、光源ドライバ５２、絞り機構５３、集光レンズ５４などが設けられている。システム制御部４９は、光源装置１３の各部を統括的に制御する。
【００２５】
光源５１は、キセノンランプやハロゲンランプなどからなり、光源ドライバ５２により駆動制御される。絞り機構５３は、光源５１の光射出側に配置され、集光レンズ５４に入射される光量を増減させる。集光レンズ５４は、絞り機構５３を通過した白色光を集め、光源装置１３に接続された内視鏡１１のライトガイド３１の入射端に光を導く。ライトガイド３１は、内視鏡１１の基端から先端部２１まで挿通され、射出端が照明窓２９に接続されている。
【００２６】
光源装置１４には、システム制御部５０、光源５５、光源ドライバ５６、絞り機構５７、集光レンズ５８などが設けられている。光源装置１４は、光源装置１３の構成とは異なり、光源５５と絞り機構５７との間に、所定帯域の光のみを透過させるフィルタ（図示省略）が設けられている。光源装置１４は、フィルタを備えたことで、内視鏡１１に特殊光を供給する。
【００２７】
切替器１６には、システム制御部５９、及び接続切替部６０が設けられている。システム制御部５９は、プロセッサ装置１２のシステム制御部４４が、光源装置１３のシステム制御部４９、及び光源装置１４のシステム制御部５０のどちらと通信を行うかを決定するとともに、切替器１６の各部を統括的に制御する。プロセッサ装置１２のシステム制御部４４は、光源装置１３のシステム制御部４９と光源装置１４のシステム制御部５０のうち、切替器１６のシステム制御部５９が決定した一方と通信を行う。
【００２８】
システム制御部４４がいずれのシステム制御部４９、５０と通信を行うかをシステム制御部５９で決定する方法は、内視鏡１１のＲＯＭ４３に記憶された識別情報に基づいて行われる。識別情報は、ＲＯＭ４３からユニバーサルコード１９及びコネクタ２４を介してプロセッサ装置１２のシステム制御部４４に入力される。そして、プロセッサ装置１２のシステム制御部４４からケーブル２６を介して切替器１６のシステム制御部５９に取得される。また、識別情報は、ＲＯＭ４３からユニバーサルコード１９及びコネクタ２４を介して内視鏡１１が接続された光源装置１３のシステム制御部４９に入力される。そして、光源装置１３のシステム制御部４９からケーブル３４を介して切替器１６のシステム制御部５９に取得される。その一方、内視鏡１１が接続されていない光源装置１４からは取得されない。システム制御部５９は、プロセッサ装置１２を介して取得された識別情報が光源装置１３からも取得されたことを受け、プロセッサ装置１２のシステム制御部４４が光源装置１３のシステム制御部４９と通信を行うと決定する。なお、内視鏡１１が光源装置１４に接続されている場合には、光源装置１４を介して識別情報が取得されるので、プロセッサ装置１２のシステム制御部４４が光源装置１４のシステム制御部５０と通信を行うことが決定される。
【００２９】
接続切替部６０は、システム制御部５９による決定に基づいて、プロセッサ装置１２のシステム制御部４４と、光源装置１３のシステム制御部４９、及び光源装置１４のシステム制御部５０のいずれか一方との接続を切り替える。本実施形態では、接続切替部６０は、プロセッサ装置１２のシステム制御部４４と、光源装置１３のシステム制御部４９とを接続し、通信可能な状態にする。
【００３０】
次に、上記構成の内視鏡システム１０の処理手順について、図３のフローチャートを参照しながら説明する。医師は、内視鏡システム１０で検査を実施する際、プロセッサ装置１２、及び光源装置１３又は１４のそれぞれに内視鏡１１を接続する（図１参照）とともに、内視鏡システム１０の電源を入れる。以下では、内視鏡１１が光源装置１３に接続された場合を説明する。
【００３１】
内視鏡システム１０に電源が入ると、切替器１６のシステム制御部５９は、内視鏡１１の識別情報を、プロセッサ装置１２を介して取得するとともに、光源装置１３又は１４を介して取得する。そして、切替器１６のシステム制御部５９は、プロセッサ装置１２のシステム制御部４４が、光源装置１３のシステム制御部４９、及び光源装置１４のシステム制御部５０のどちらと通信を行うかを決定する。内視鏡１１の識別情報が光源装置１３を介して取得された場合には、切替器１６のシステム制御部５９は、プロセッサ装置１２のシステム制御部４４が光源装置１３のシステム制御部４９と通信を行うと決定する。一方、内視鏡１１の識別情報が光源装置１４を介して取得された場合には、切替器１６のシステム制御部５９は、プロセッサ装置１２のシステム制御部４４が光源装置１４のシステム制御部５０と通信を行うと決定する。本実施形態の説明では、内視鏡１１が光源装置１３に接続されているので、プロセッサ装置１２のシステム制御部４４が光源装置１３のシステム制御部４９と通信を行うと決定される。
【００３２】
医師は、プロセッサ装置１２に設けられた検査開始ボタン（図示省略）を操作する。これにより、内視鏡システム１０の各部に検査の開始が指示される。
【００３３】
プロセッサ装置１２のシステム制御部４４は、検査開始の指示を受けると、ＴＧ４５を制御し、ＣＣＤドライバ４６によるＣＣＤ２０の駆動を開始させる。ＣＣＤ２０は、ＣＣＤドライバ４６の駆動に応じて、観察窓３０及び対物レンズ４１を介して入射した観察部位の像光を撮像し、像光に応じた撮像信号を出力する。
【００３４】
出力された撮像信号は、ＣＤＳ／ＰＧＡ４２でノイズ除去と増幅とが行われる。ノイズ除去と増幅とが行われた撮像信号は、Ａ／Ｄ４７に入力され、デジタルの画像データに変換される。画像データは、画像生成部４８に入力される。画像生成部４８は、入力された画像データに対して各種の画像処理を施し、画像データから内視鏡画像を生成する。また、画像生成部４８は、生成した内視鏡画像をモニタ１５の形式に対応したビデオ信号に変換し、そのビデオ信号をモニタ１５に出力する。これにより、内視鏡画像がモニタ１５に表示される。
【００３５】
医師は、モニタ１５に内視鏡画像が表示されると、患者の体腔内に内視鏡１１の先端部２１を挿入し、体腔内の観察を始める。
【００３６】
以上説明したように、内視鏡固有の識別情報に基づいて、内視鏡が接続された光源装置を検出する切替器１６を備えたから、プロセッサ装置１２に複数個のポートを設ける必要がない。また、検査に用いる光源装置を特定する機能を、プロセッサ装置に持たせる必要はない。ひいては、１台のプロセッサ装置に対して複数台の光源装置を対応させることができる。
【００３７】
［第２実施形態］
図４に示すように、第２実施形態の内視鏡システム６１は、内視鏡１１、６２を備えている。内視鏡１１は、ユニバーサルコード１９の基端に連結されたコネクタ２４を介して、光源装置１３が接続される他、プロセッサ装置１２が接続される。
【００３８】
一方、内視鏡６２は、プロセッサ装置１２及び光源装置１４に接続されるユニバーサルコード６５を備えている。ユニバーサルコード６５の基端は、コネクタ７０に連結されている。コネクタ７０は、複合タイプのものであり、コネクタ７０には光源装置１４が接続される他、プロセッサ装置１２が接続される。内視鏡６２については、図面に符号を付してその詳しい説明を省略する。なお、内視鏡１１の構成と、内視鏡６２の構成とを区別するため、互いに異なる符号を付した。例えば、挿入部に付した符号は、１７と６３とで異なる。以下では、プロセッサ装置１２には、内視鏡１１のコネクタ２４が接続されて、且つ、内視鏡６２のコネクタ７０が接続されていない場合を説明する。
【００３９】
図５において、システム制御部４４がいずれのシステム制御部４９、５０と通信を行うかをシステム制御部５９で決定する方法は、内視鏡１１のＲＯＭ４３に記憶された識別情報、及び内視鏡６２のＲＯＭ８３に記憶された識別情報に基づいて行われる。内視鏡１１の識別情報は、プロセッサ装置１２を介して切替器１６のシステム制御部５９に取得されるとともに、内視鏡１１が接続された光源装置１３を介して切替器１６のシステム制御部５９に取得される。その一方、内視鏡６２の識別情報は、ＲＯＭ８３からユニバーサルコード６５及びコネクタ７０を介して光源装置１４のシステム制御部５０に入力される。そして、光源装置１４のシステム制御部５０からケーブル３５を介して切替器１６のシステム制御部５９に取得される。システム制御部５９は、プロセッサ装置１２を介して取得された識別情報と光源装置１３から取得された識別情報とが一致したことを受け、プロセッサ装置１２のシステム制御部４４が光源装置１３のシステム制御部４９と通信を行うと決定する。一方、プロセッサ装置１２に内視鏡１１ではなく内視鏡６２が接続されている場合には、プロセッサ装置１２を介して取得された識別情報と光源装置１４を介して取得された識別情報とが一致するので、プロセッサ装置１２のシステム制御部４４が光源装置１４のシステム制御部５０と通信を行うことが決定される。なお、上記第１実施形態と同様の構成については、その説明を省略する。
【００４０】
次に、上記構成の内視鏡システム６１の処理手順について、図６のフローチャートを参照しながら説明する。医師は、図４に示すように各装置が接続された内視鏡システム６１で検査を実施する場合、内視鏡システム６１の電源を入れる。
【００４１】
内視鏡システム６１に電源が入ると、切替器１６のシステム制御部５９は、光源装置１３、１４に接続された内視鏡の識別情報を、光源装置１３、１４を介して取得するとともに、プロセッサ装置１２に接続された内視鏡の識別情報を、プロセッサ装置１２を介して取得する。そして、切替器１６のシステム制御部５９は、プロセッサ装置１２のシステム制御部４４が、光源装置１３のシステム制御部４９、及び光源装置１４のシステム制御部５０のどちらと通信を行うかを決定する。プロセッサ装置１２に接続された内視鏡の識別情報が光源装置１３から取得された場合には、切替器１６のシステム制御部５９は、プロセッサ装置１２のシステム制御部４４が光源装置１３のシステム制御部４９と通信を行うと決定する。一方、プロセッサ装置１２に接続された内視鏡の識別情報が光源装置１４から取得された場合には、切替器１６のシステム制御部５９は、プロセッサ装置１２のシステム制御部４４が光源装置１４のシステム制御部５０と通信を行うと決定する。本実施形態の説明では、プロセッサ装置１２に内視鏡１１が接続されているので、プロセッサ装置１２のシステム制御部４４が、光源装置１３のシステム制御部４９と通信を行うと決定される。なお、上記第１実施形態と同様の処理手順及び効果については、その説明を省略する。
【００４２】
なお、上記各実施形態では、内視鏡のＲＯＭに記憶された識別情報に基づいて使用する光源装置を選択したが、内視鏡のコネクタに設けられたピンの配置や形状を光源装置で判別し、そのピンの配置や形状に基づいて内視鏡を識別してもよい。また、画像データの付帯情報を画像生成部で取得して、その付帯情報に基づいて内視鏡を識別してもよい。
【００４３】
また、上記各実施形態では、内視鏡固有の識別情報に基づいて、使用する光源装置を選択したが、電源が入っている光源装置を選択するようにしてもよい。この場合において、両方の光源装置に電源が入っている場合には、所定の規則に基づいて、使用するプロセッサ装置を選択する。所定の規則としては、電源が入れられた順番、予め設定された優先順位、使用状況（頻度や、直前に使用したものを選択する）を切替器１６内に記憶しておいて、それを使うことなどが挙げられる。
【００４４】
また、上記各実施形態では、図１又は図４に示すように、切替器１６は筐体に収められ、光源装置１３の上面に載置したが、内視鏡システム１０、６１が搭載されるカートに内蔵、又は取り付けられていてもよい。
【００４５】
［第３実施形態］
図７に示すように、第３実施形態の内視鏡システム９１は、内視鏡１１と、使用する光源装置１３、１４の切替えを行う切替器９２とを備えている。内視鏡１１は、プロセッサ装置１２及び切替器９２に接続されるユニバーサルコード１９を備えている。ユニバーサルコード１９の基端は、コネクタ２４に連結されている。コネクタ２４は、複合タイプのものであり、コネクタ２４にはプロセッサ装置１２が接続される他、切替器９２が接続される。
【００４６】
切替器９２は、ケーブル（図示省略）を介してプロセッサ装置１２と電気的に接続されているとともに、ユニバーサルコード９３を介して光源装置１３、１４と電気的・光学的に接続されている。ユニバーサルコード９３は、一端がコネクタ９４に連結されて、切替器９２に接続されている。また、他端は二股になっており、二股の両端がコネクタ９５、９６にそれぞれ連結されて、光源装置１３、１４に接続されている。
【００４７】
図８において、切替器９２には、切替ボタン９７、光路切替部９８、光路切替部ドライバ９９などが設けられている。切替ボタン９７は、光源装置１３、１４を切り替える際に操作される。切替ボタン９７が操作されると、システム制御部５９には、光源装置１３、１４を切り替える切替信号が入力される。光路切替部ドライバ９９は、システム制御部５９に制御され、光路切替部９８を駆動制御する。光路切替部９８は、例えばミラーなどから構成され、光源装置１３の集光レンズ５４から内視鏡１１のライトガイド３１の入射端までの光路と、光源装置１４の集光レンズ５８から内視鏡１１のライトガイド３１の入射端までの光路とを切り替える。なお、上記第１実施形態と同様の構成については、その説明を省略する。
【００４８】
次に、上記構成の内視鏡システム９１の処理手順について、図９のフローチャートを参照しながら説明する。医師は、内視鏡システム９１で検査を実施する際、内視鏡１１をプロセッサ装置１２及び切替器９２に接続するとともに、切替器９２をプロセッサ装置１２や光源装置１３及び１４に接続する。そして、内視鏡システム９１の電源を入れてから、切替ボタン９７を操作して、光源装置１３及び１４のいずれか一方を選択する。
【００４９】
切替ボタン９７が操作されると、システム制御部５９に切替信号が入力される。システム制御部５９に切替信号が入力されると、光路切替部ドライバ９９は、光路切替部９８を駆動制御し、光路を切り替える。切替ボタン９７で光源装置１３が選択された場合、光路切替部９８は、光源装置１３の集光レンズ５４から内視鏡１１のライトガイド３１の入射端までの光路に切り替える。一方、切替ボタン９７で光源装置１４が選択された場合、光路切替部９８は、光源装置１４の集光レンズ５８から内視鏡１１のライトガイド３１までの入射端までの光路に切り替える。
【００５０】
また、システム制御部５９に切替信号が入力されると、システム制御部５９は、プロセッサ装置１２のシステム制御部４４が、光源装置１３のシステム制御部４９、及び光源装置１４のシステム制御部５０のどちらと通信を行うかを切替信号に基づいて決定する。切替ボタン９７で光源装置１３が選択された場合、システム制御部５９は、プロセッサ装置１２のシステム制御部４４が光源装置１３のシステム制御部４９と通信を行うと決定する。一方、切替ボタン９７で光源装置１４が選択された場合、システム制御部５９は、プロセッサ装置１２のシステム制御部４４が光源装置１４のシステム制御部５０と通信を行うと決定する。なお、上記第１実施形態と同様の処理手順については、その説明を省略する。
【００５１】
以上説明したように、切替ボタン９７の操作に基づいて、使用する光源装置を切り替える切替器９２を備えたから、切替器９２でプロセッサ装置１２を全ての光源装置に接続することができる。したがって、プロセッサ装置１２に複数個のポートを設ける必要がない。また、切替ボタン９７の操作に基づいて光源装置を特定するから、光源装置を特定する機能を、プロセッサ装置１２に持たせる必要がない。ひいては、１台のプロセッサ装置に対して複数台の光源装置を対応させることができる。
【００５２】
なお、上記第３実施形態において、切替器９２には、マンマシンインターフェースとして切替ボタン９７が設けられているが、マンマシンインターフェースはこれに限定されず、例えば、赤外線によるリモートコントローラや、キーボードなどが設けられていてもよい。
【００５３】
また、上記各実施形態では、光源装置が２台である場合を例に説明したが、３台以上であってもよい。
【００５４】
また、上記各実施形態では、プロセッサ装置とは別に切替器を設けたが、切替器の機能をプロセッサ装置に組み込んだ構成としてもよい。
【００５５】
また、上記各実施形態で示した内視鏡システム１０、６１、９１は、一例にすぎず、本発明の趣旨を逸脱しなければ、如何様な態様にも適宜変更することができる。
【図面の簡単な説明】
【００５６】
【図１】第１実施形態における内視鏡システムの構成を示す概略図である。
【図２】第１実施形態における内視鏡システムの電気的・光学的構成を示すブロック図である。
【図３】第１実施形態における内視鏡システムの処理手順を示すフローチャートである。
【図４】第２実施形態における内視鏡システムの構成を示す概略図である。
【図５】第２実施形態における内視鏡システムの電気的・光学的構成を示すブロック図である。
【図６】第２実施形態における内視鏡システムの処理手順を示すフローチャートである。
【図７】第３実施形態における内視鏡システムの構成を示す概略図である。
【図８】第３実施形態における内視鏡システムの電気的・光学的構成を示すブロック図である。
【図９】第３実施形態における内視鏡システムの処理手順を示すフローチャートである。
【符号の説明】
【００５７】
１０、６１、９１  内視鏡システム
１１、６２  内視鏡
１２  プロセッサ装置
１３、１４  光源装置
１６、９２  切替器
２１  ＣＣＤ（charge coupled device）
４３、８３  ＲＯＭ
５９  システム制御部
６０  接続切替部
９７  切替ボタン
９８  光路切替部
【図１】
2010011894.tif 000003
【図２】
2010011894.tif 000004
【図３】
2010011894.tif 000005
【図４】
2010011894.tif 000006
【図５】
2010011894.tif 000007
【図６】
2010011894.tif 000008
【図７】
2010011894.tif 000009
【図８】
2010011894.tif 000010
【図９】
2010011894.tif 000011